(57)【要約】【課題】外観上の見栄えが損なわれることを抑制しつつ、避難時間の短縮を図ること。【解決手段】音響装置１は、制御部と第１出力部１１と第２出力部と筐体４と、を備える。制御部は、特定事象に関する情報を受けて特定事象が発生したか否かを判定する。第１出力部１１は、特定事象の発生を報知するように音を出力する。第２出力部は、照明光を出力する。筐体４は、構造体Ｃ１に固定される基部と、基部の前側に位置する前壁部４Ｂと、有する。前壁部４Ｂは、その前面４０において、基部に近づく方向に凹んだスリット９を有する。スリット９は、その内面９０の第１領域９１に、上記音を筐体４の外部に導出する音響孔Ｈ１と、内面９０の第２領域９２に、上記照明光を筐体４の外部に導出する窓孔Ｈ２と、を有する。【選択図】図２
2019175395.tif 000002
【特許請求の範囲】
【請求項１】
構造体に設置される音響装置であって、
特定事象に関する情報を受けて前記特定事象が発生したか否かを判定する制御部と、
前記制御部にて前記特定事象が発生したと判定したときに、前記特定事象の発生を報知するように音を出力する第１出力部と、
前記情報に応じて周囲の領域を照らす照明光を出力する第２出力部と、
前記制御部、前記第１出力部及び前記第２出力部を収容する筐体と、
を備え、
前記筐体は、前記構造体に固定される基部と、前記基部の前側に位置する前壁部とを有し、
前記前壁部は、その前面において、前記基部に近づく方向に凹んだスリットを有し、
前記スリットは、
その内面の第１領域に、前記音を前記筐体の外部に導出する音響孔と、
前記内面の第２領域に、前記照明光を前記筐体の外部に導出する窓孔と、
を有する、
音響装置。
【請求項２】
前記スリットは、前記前壁部の前方から見たときに、前記筐体の外周に沿った形状となっている、
請求項１に記載の音響装置。
【請求項３】
前記スリットは、前記前壁部の前方から見たときに、前記外周の周方向における当該スリットの一端と他端とが互いに繋がった環状の形状となっている、
請求項２に記載の音響装置。
【請求項４】
前記スリットは、複数の小スリットから構成され、
前記複数の小スリットは、前記前壁部の前方から見たときに、前記外周に沿って並んでいる、
請求項２に記載の音響装置。
【請求項５】
前記スリットに囲まれた領域の中心は、前記前壁部の前方から見たときに、前記外周の中心と一致している、
請求項２〜４のいずれか１項に記載の音響装置。
【請求項６】
外部からの操作入力を受け付ける操作部を、更に備え、
前記操作部は、前記前壁部の前方から見たときに、前記前壁部の前記前面において、前記スリットに囲まれた領域内に配置されている、
請求項２〜５のいずれか１項に記載の音響装置。
【請求項７】
前記前壁部の前記前面は、その中心から周縁に向かうほど、前記基部に近づくように傾斜している、
請求項１〜６のいずれか１項に記載の音響装置。
【請求項８】
前記特定事象とは、火災であり、
前記筐体内に収容され、かつ前記火災を検知する検知部を、更に備え、
前記制御部は、前記検知部からの検知結果を前記情報として受けて前記火災が発生したか否かを判定する、
請求項１〜７のいずれか１項に記載の音響装置。
【請求項９】
前記検知部は、煙検知部であり、
前記筐体は、前記前壁部の周縁から前記基部に向かって突出する側壁部を更に有し、
前記側壁部は、火災煙を前記筐体内における前記煙検知部の検知空間に流入させる開口部を、有し、
前記開口部は、その開口縁に、前記火災煙の流入をガイドするテーパ状の面を有する、
請求項８に記載の音響装置。
【請求項１０】
前記開口縁は、前記基部の側の第１縁と、前記前壁部の側の第２縁と、を含み、
前記テーパ状の面は、前記第１縁及び前記第２縁のうち、少なくとも前記第２縁にある
請求項９に記載の音響装置。
【発明の詳細な説明】
【技術分野】
【０００１】
本発明は、一般に、音響装置に関し、より詳細には、火災等の外的事象が発生したことを報知する音響装置に関する。
【背景技術】
【０００２】
従来例として、特許文献１に記載の住警器を例示する。この住警器は、そのカバーの中央に、煙流入口を開口した検煙部を配置し、火災による煙が所定濃度に達したときに火災を検出する。また住警器は、カバーにおける検煙部の左下側に音響孔を有し、その背後にスピーカを内蔵し、警報音や音声メッセージを出力する。住警器は、住宅の居間や寝室等の例えば壁面に設置され、万一、火災が発生した場合には、火災を検出して警報を開始する。
【先行技術文献】
【特許文献】
【０００３】
【特許文献１】特開２０１０−４９６０４号公報
【発明の概要】
【発明が解決しようとする課題】
【０００４】
ところで、住人の避難時間をより短縮できる住警器（音響装置）が望まれる。例えば警報音に加えて別の報知機能を付加し、特定事象の発生時に警報音の出力とその報知機能の実行の両方を行うことが考えられる。しかし、別の報知機能を新たに住警器に設けようとすると、住警器の外観上の見栄え（美観）を損ねる可能性がある。
【０００５】
本発明は上記事由に鑑みてなされ、外観上の見栄えが損なわれることを抑制しつつ、避難時間の短縮を図ることができる音響装置を提供することを目的とする。
【課題を解決するための手段】
【０００６】
本発明の一態様に係る音響装置は、構造体に設置される。前記音響装置は、制御部と、第１出力部と、第２出力部と、筐体と、を備える。前記制御部は、特定事象に関する情報を受けて前記特定事象が発生したか否かを判定する。前記第１出力部は、前記制御部にて前記特定事象が発生したと判定したときに、前記特定事象の発生を報知するように音を出力する。前記第２出力部は、前記情報に応じて周囲の領域を照らす照明光を出力する。前記筐体は、前記制御部、前記第１出力部及び前記第２出力部を収容する。前記筐体は、前記構造体に固定される基部と、前記基部の前側に位置する前壁部と、有する。前記前壁部は、その前面において、前記基部に近づく方向に凹んだスリットを有する。前記スリットは、その内面の第１領域に、前記音を前記筐体の外部に導出する音響孔と、前記内面の第２領域に、前記照明光を前記筐体の外部に導出する窓孔と、を有する。
【発明の効果】
【０００７】
本発明は、外観上の見栄えが損なわれることを抑制しつつ、避難時間の短縮を図ることができる、という利点がある。
【図面の簡単な説明】
【０００８】
【図１】図１は、一実施形態に係る音響装置の外観図である。
【図２】図２Ａは、同上の音響装置の正面図であり、図２Ｂは、同上の音響装置における要部の正面図である。
【図３】図３は、同上の音響装置の側面図である。
【図４】図４は、同上の音響装置における第２出力部と導光部材の斜視図である。
【図５】図５は、同上の音響装置のブロック構成図である。
【図６】図６は、同上の音響装置が設置されている寝室の様子を示す図である。
【図７】図７は、同上の音響装置の変形例の正面図である。
【発明を実施するための形態】
【０００９】
（１）概要
以下の実施形態は、本発明の様々な実施形態の一つに過ぎない。以下の実施形態は、本発明の目的を達成できれば、設計等に応じて種々の変更が可能である。また、以下の実施形態において説明する各図は、模式的な図であり、各図中の各構成要素の大きさや厚さそれぞれの比が、必ずしも実際の寸法比を反映しているとは限らない。
【００１０】
本実施形態の音響装置１は、図６に示すように、構造体Ｃ１（天井や壁等の造営材）に設置される。音響装置１は、図５に示すように、制御部１０と、第１出力部１１と、第２出力部１２と、筐体４とを備える。制御部１０は、特定事象に関する情報を受けて特定事象が発生したか否かを判定する。
【００１１】
ここでは「特定事象」とは、一例として火災であることを想定する。したがって、音響装置１は、一例として、火災の発生時に警報音等の音を出力する火災警報器である。しかし、特定事象は、警報音の発報対象であれば、火災に限定されず、ガス漏れ、津波、地震、不審者の侵入等であってもよい。
【００１２】
本実施形態の音響装置１は、図５に示すように、その内部に煙を検知する光電式のセンサ（検知部２）を、更に備えているが、検知部２は、熱を検知する定温式のセンサでもよい。また、検知部２は、音響装置１と別体であってもよい。音響装置１の制御部１０は、検知部を備えた別の音響装置（火災警報器）との通信により、火災に関する情報を受けてもよい。
【００１３】
音響装置１は、住宅内の居室、寝室、階段、廊下等の構造体Ｃ１の一面（天井面又は壁面）に設置される。住宅は、戸建住宅、又は集合住宅（マンション）でもよい。更に、音響装置１は、住宅だけでなく非住宅の構造体Ｃ１（天井面又は壁面等）に設置されてもよい。非住宅の例としては、オフィスビル、劇場、映画館、公会堂、遊技場、複合施設、飲食店、百貨店、学校、ホテル、旅館、病院、老人ホーム、幼稚園、図書館、博物館、美術館、地下街、駅、空港等を含む。
【００１４】
第１出力部１１は、制御部１０にて特定事象である火災が発生したと判定したときに、火災の発生を報知するように警報音を出力する。第２出力部１２は、火災に関する情報に応じて、周囲の領域Ｒ１（図６参照）を照らす光を出力する。なお、第２出力部１２の光を「照明光」と呼ぶこともあるが、第２出力部１２の光は、一般的な照明器具が出力する照明光に比べて明るさの弱い、避難経路を照らす程度の光である。ここで言う「周囲の領域Ｒ１」は、音響装置１が天井面に設置される場合、天井面と対向する領域（例えば床面）であるが、音響装置１が壁面に設置される場合、当該壁面と対向する領域（例えば壁面）である。
【００１５】
筐体４は、制御部１０、第１出力部１１及び第２出力部１２を収容する。筐体４は、構造体Ｃ１に固定される基部４Ａ（図３参照）と、基部４Ａの前側に位置する前壁部４Ｂと、有している。前壁部４Ｂは、図１及び図２Ａに示すように、その前面４０において、基部４Ａに近づく方向に凹んだスリット９を有している。スリット９は、その内面９０の第１領域９１に、警報音を筐体４の外部に導出する音響孔Ｈ１と、内面９０の第２領域９２に、照明光を筐体４の外部に導出する窓孔Ｈ２と、を有している。
【００１６】
この構成によれば、警報音の出力だけでなく照明光の出力も行う。そのため、避難時間の短縮を図ることができる。また、音響孔Ｈ１と窓孔Ｈ２とがスリット９の内面９０に設けられているため、これらの孔が目立ち難い構造となっている。したがって、外観上の見栄えが損なわれることを抑制しつつ、避難時間の短縮を図ることができる。
【００１７】
（２）詳細
（２．１）全体構成
以下、本実施形態の音響装置１の全体構成について詳しく説明する。ここでは、音響装置１は、一例として電池式の火災警報器である。ただし、音響装置１は、外部電源（例えば商用の電力系統）に電気的に接続され、外部電源から供給される交流電力（例えば実効値１００Ｖ）を直流電流に変換して駆動する火災警報器であってもよい。
【００１８】
以下では、図６に示すように、音響装置１が、一例として、住人１００の住宅における寝室の天井面（構造体Ｃ１の一面）に設置されることを想定する。これにより、音響装置１の上下、左右の方向を、図１に図示されている上下、左右の矢印を用いて規定して説明する。これらの矢印は、単に説明を補助する目的で記載しているに過ぎず、実体を伴わない。またこれらの方向は、音響装置１の使用方向を限定する趣旨ではない。
【００１９】
音響装置１は、図５に示すように、制御部１０、第１出力部（音出力部）１１、第２出力部（光出力部）１２、検知部２、及び筐体４の他に、例えば、バッテリー１３と、操作部３と、作動灯１５と、を更に備えている。ここでは、音響装置１は、一例として、単独型の火災警報器であり、他の火災警報器と通信する通信機能を有していないものと想定する。
【００２０】
（２．２）筐体
筐体４は、制御部１０、第１出力部１１、第２出力部１２、バッテリー１３、検知部２、及び、制御部１０や各種の回路を構成する回路部品が実装される回路基板Ｂ１（図４参照）等を内部に収容する。図示は省略するが、ここで言う各種の回路とは、例えば後述する音響回路、第１点灯回路、第２点灯回路、及び電源回路等である。
【００２１】
筐体４は、合成樹脂製であり、例えば難燃性ＡＢＳ樹脂製である。筐体４は、全体としてへん平な円筒状に形成されている。筐体４は、図３に示すように、上端部が開放されたケース４Ｈと、基部４Ａとから構成されている。基部４Ａがケース４Ｈの開放された上端部を塞ぐように組み付けられる。ケース４Ｈは、前壁部４Ｂ（図１では下側の壁部）及び側壁部４Ｃからなる。
【００２２】
基部４Ａは、円板形状となっている。基部４Ａは、固定部を有しており、当該固定部によって構造体Ｃ１の一面（設置面）に固定される。具体的には、基部４Ａは、例えば、厚み方向に貫通して、取付ねじを挿入可能な複数の貫通孔（固定部）を有しており、取付ねじで天井面に基部４Ａをねじ止め固定可能となっている。基部４Ａが天井面に固定された状態で、基部４Ａをケース４Ｈの上端部に嵌め込むことで、基部４Ａとケース４Ｈとが組み付けられる。
【００２３】
前壁部４Ｂは、円板形状となっていて、基部４Ａの前側（図１では下側）に位置する。前壁部４Ｂは、図１及び図２Ａに示すように、その前面４０（図１では下面）において、基部４Ａに近づく方向（上方向）に凹んだスリット９を有している。スリット９は、図２Ａに示すように、前壁部４Ｂの前方から見たときに、筐体４の外周に沿った形状となっている。スリット９は、一例として、前壁部４Ｂの前方から見たときに、筐体４の外周の周方向におけるスリット９の一端と他端とが互いに繋がった環状の形状（閉じた形状）となっている。前壁部４Ｂの前面４０には、スリット９によって囲まれた領域Ｒ１０（図２Ａ参照）が存在する。領域Ｒ１０の中心Ｐ１は、前壁部４Ｂの前方から見たときに、筐体４の外周の中心と一致している。なお、ここで言う「一致」とは、厳密な一致でなくてもよく、人の視認で一致と言えるものも含む。
【００２４】
特に本実施形態では、スリット９は、前壁部４Ｂの前方（図１では下方）から見たときに、所定の溝幅を有した円環状に形成されている。すなわち、正面から見たときの筐体４の円形状の外周に合わせて、スリット９の外観も円環状となっている。
【００２５】
そして、スリット９は、その内面９０の第１領域９１と、第２領域９２とに、それぞれ、音響孔Ｈ１と、窓孔Ｈ２とを有している。音響孔Ｈ１は、第１出力部１１の警報音を筐体４の外部に導出するための孔であり、筐体４内の第１出力部１１と対向している。また、窓孔Ｈ２は、第２出力部１２の照明光を筐体４の外部に導出するための孔であり、筐体４内の第２出力部１２と対向している。なお、スリット９内の音響孔Ｈ１及び窓孔Ｈ２については、後の「（２．８）音響孔及び窓孔」の欄で詳しく説明する。
【００２６】
側壁部４Ｃは、図３に示すように、前壁部４Ｂの周縁Ｅ１から基部４Ａに向かって突出する。なお、側壁部４Ｃの表面は、上下方向に沿って真っ直ぐではなく、基部４Ａに近づくほど（上方に行くほど）、ケース４Ｈの径が小さくなるようにやや傾斜している（図３参照）。要するに、ケース４Ｈの下端側の径の方が、ケース４Ｈの上端側の径よりも僅かに大きい。
【００２７】
側壁部４Ｃは、筐体４内に設けられているラビリンス（検知部２の検知空間）に火災煙を流入させる開口部４１を有している。開口部４１は、筐体４の周方向に沿って並ぶ複数の貫通孔から構成されている。筐体４は、その内部空間を上下２つに仕切る仕切壁を有している。ラビリンス及び検知部２は、上側の第１空間にあり、制御部１０、第１出力部１１、第２出力部１２、及び回路基板Ｂ１等は、下側の第２空間にある。
【００２８】
更に筐体４は、前壁部４Ｂにおいて、操作部３の下面が筐体４の外部に露出するように、操作部３を支持している。操作部３は、外部からの操作入力を受け付ける。操作部３は、ユーザの指等による押し操作により上方へ押し込み可能となっている。操作部３は、透光性を有した円板状の部材である。操作部３は、筐体４内に収容されている作動灯１５と対向して配置されている。また、操作部３は、押し操作により、筐体４内に収容されている押し釦スイッチ（不図示）を押すように構成されている。
【００２９】
本実施形態では、操作部３は、前壁部４Ｂの前方から見たときに、前壁部４Ｂの前面４０において、スリット９に囲まれた領域Ｒ１０内に配置されている。ここでは、一例として、操作部３は、領域Ｒ１０の中心Ｐ１の右横に配置されている。
【００３０】
（２．３）第１出力部
第１出力部１１は、音（音波）を出力する。第１出力部１１は、制御部１０にて火災が発生したと判定したときに、火災の発生を報知するように警報音を出力する。
【００３１】
第１出力部１１は、電気信号を音に変換するスピーカにより構成される。スピーカは、振動板を有し、電気信号に従って振動板を機械的に振動させることにより警報音を発する。スピーカは、正面視円形状に形成されており、円板状である。第１出力部１１は、制御部１０による制御下で、警報音（例えば「ピー」音）を出力する。第１出力部１１は、警報音の大きさ（音圧レベル）を変化させて警報音を出力することが好ましい。警報音は、例えば、低音から高音にスイープさせたスイープ音を含んでもよい。警報音は、例えば「火事です。火事です。」といった音声メッセージを含んでもよい。ここでは、警報音は、スイープ音と、スイープ音に連続する音声メッセージとから構成されることを想定する。
【００３２】
回路基板Ｂ１には、例えば音響回路を構成する回路部品が実装されている。音響回路は、ローパスフィルタ、及び増幅器等を有する。音響回路は、火災発生時に制御部１０にて生成された警報音に対応するＰＷＭ（Pulse Width Modulation）信号を受け取ると、ローパスフィルタで正弦波形の音声信号に変換し増幅器で増幅して、警報音として第１出力部１１から出力させる。
【００３３】
第１出力部１１は、動作点検時においても、試験的に警報音を出力する。第１出力部１１は、音響装置１の状態に応じて「正常です。」又は「異常です。」等といった音声メッセージを出力する。動作点検は、操作部３が操作されるか、又は筐体４から導出されている引き紐（不図示）が引っ張られることで実行可能となっている。第１出力部１１は、バッテリー１３の交換時期が近づいてきたときに、その旨を報知する音声メッセージを出力してもよい。バッテリー１３は、例えばリチウム電池である。
【００３４】
（２．４）第２出力部
第２出力部１２は、照明光を出力する。第２出力部１２は、制御部１０の制御の下、火災に関する情報に応じて、周囲の領域Ｒ１を照らす照明光を出力する。
【００３５】
第２出力部１２は、光源として回路基板Ｂ１に実装された１又は複数の照明用白色ＬＥＤ（Light Emitting Diode）１２Ａを有している（図４参照：ここでは２つのＬＥＤ１２Ａ）。第２出力部１２は、通常時（火災の監視時）には消灯しており、制御部１０にて火災が発生したと判定したときに点灯（照明光の出力）を開始する。
【００３６】
各ＬＥＤ１２Ａは、平板状の実装基板の実装面の中央に少なくとも１個のＬＥＤチップが実装された、パッケージ型のＬＥＤとして構成される。ＬＥＤチップは、例えば、発光面から青色光を放射する青色発光ダイオードであることが好ましい。また、ＬＥＤチップを含む基板の実装面は、ＬＥＤチップから放射される青色光を波長変換する蛍光物質が混入された封止樹脂で被われている。ＬＥＤ１２Ａは、そのアノード電極とカソード電極との間に直流電圧が印加されることにより、白色の照明光を発光面から放射するように構成されている。照明光の色は、白色に限定されず、他の光色でもよい。ただし、作動灯１５の光色と被らないことが望ましい。
【００３７】
回路基板Ｂ１には、第２出力部１２のＬＥＤ１２Ａを点灯させるための第１点灯回路を構成する回路部品が実装されている。第１点灯回路は、制御部１０による制御下で、バッテリー１３から放電される直流電力を用いて、ＬＥＤ１２Ａを点灯させる。音響装置１が、商用の電力系統に電気的に接続されている場合には、第１点灯回路は、電力系統から供給される交流電力を直流電流に変換して、ＬＥＤ１２Ａを点灯させる。
【００３８】
第２出力部１２から出射された光（照明光）は、導光部材８（図４参照）を介して筐体４の外部に導出される。導光部材８は、例えば透明なアクリル樹脂等により形成されている。導光部材８は、ブリッジ形状となっていて、回路基板Ｂ１に実装されている。導光部材８の下端にある露出部８０は、２つのＬＥＤ１２Ａと対向している。露出部８０は、回路基板Ｂ１の側から窓孔Ｈ２に差し込まれて、窓孔Ｈ２から露出する（図２Ｂ参照）。ＬＥＤ１２Ａから放射された光は、導光部材８の露出部８０を介して、窓孔Ｈ２の外に導出されて、周囲の領域Ｒ１（ここでは、寝室の床面及びベッド等）が照らされる。
【００３９】
第２出力部１２は、動作点検時においても試験的に点灯する。第２出力部１２の動作点検は、第１出力部１１と同様に、操作部３が押し操作されるか、又は引き紐が引き操作されることで実行可能となっている。
【００４０】
（２．５）作動灯
作動灯１５は、光源として回路基板Ｂ１に実装された赤色ＬＥＤ１５Ａ（図５参照）を有している。作動灯１５は、通常時（火災の監視時）には消灯しており、制御部１０にて火災が発生したと判定したときに点滅（又は点灯）を開始する。作動灯１５は、警報音の発報が停止すると、制御部１０の制御の下、点滅を停止する。
【００４１】
回路基板Ｂ１には、作動灯１５のＬＥＤ１５Ａを点滅させるための第２点灯回路を構成する回路部品が実装されている。第２点灯回路は、制御部１０による制御下で、バッテリー１３から放電される直流電力を用いて、ＬＥＤ１５Ａを点滅させる。音響装置１が、商用の電力系統に電気的に接続されている場合には、第２点灯回路は、電力系統から供給される交流電力を直流電流に変換して、ＬＥＤ１５Ａを点滅させる。
【００４２】
作動灯１５から出射された光は、透光性を有した操作部３を介して、筐体４の外部に導出される。住人１００は、赤色に点滅する操作部３を視認することで、音響装置１が作動中（火災を検知中）であることを知ることができる。作動灯１５は、動作点検時においても点滅する。作動灯１５の動作点検は、第１出力部１１と同様に、操作部３が押し操作されるか、又は引き紐が引き操作されることで実行可能となっている。また、作動灯１５は、バッテリー１３の交換時期が近づいてきたり、故障が発生したりしたときにも点滅する。点滅中に操作部３が操作されると、第１出力部１１は、交換時期が近づいてきた旨又は故障が発生した旨を伝える音声メッセージを出力する。
【００４３】
（２．６）検知部
検知部２は、特定事象である火災を検知する。ここでは、検知部２は、一例として、煙を検知する光電式のセンサ（煙検知部）である。検知部２は、図５に示すように、例えば、ＬＥＤ等の発光部２１と、フォトダイオード等の受光部２２とを備えている。発光部２１及び受光部２２は、筐体４のラビリンス内において、受光部２２の受光面が、発光部２１の照射光の光軸上から外れるように配置されている。火災の発生時には、煙が筐体４の側壁部４Ｃにある開口部４１を通じて、ラビリンス内に導入され得る。
【００４４】
筐体４のラビリンス内に煙が存在しない場合、発光部２１の照射光は、受光部２２の受光面にほとんど到達しない。一方、筐体４のラビリンス内に煙が存在する場合、発光部２１の照射光が煙によって散乱し、散乱した光の一部が受光部２２の受光面に到達する。つまり、検知部２は、煙によって散乱された発光部２１の照射光を受光部２２で受光する。
【００４５】
検知部２は、制御部１０と電気的に接続されている。検知部２は、受光部２２で受光された光量に応じた電圧レベルを示す電気信号（検知信号）を制御部１０に送信する。制御部１０は、検知部２から受け取った検知信号の光量を煙濃度（事象レベル）に換算して火災の判定を行う。なお、検知部２は、受光部２２で受光された光量を煙濃度に換算してから煙濃度に応じた電圧レベルを示す検知信号を制御部１０に送信してもよい。あるいは、検知部２は、受光部２２で受光された光量から火災（煙）の発生を判定し、火災が発生したという情報を含む検知信号を制御部１０に送信してもよい。
【００４６】
（２．７）制御部
制御部１０は、例えば、ＣＰＵ（Central Processing Unit）及びメモリを主構成とするマイクロコンピュータにて構成されている。言い換えれば、制御部１０は、ＣＰＵ及びメモリを有するコンピュータにて実現されており、ＣＰＵがメモリに格納されているプログラムを実行することにより、コンピュータが制御部１０として機能する。プログラムは、ここではメモリに予め記録されているが、インターネット等の電気通信回線を通じて、又はメモリカード等の記録媒体に記録されて提供されてもよい。
【００４７】
制御部１０は、第１出力部１１、音響回路、第２出力部１２、作動灯１５、第１点灯回路、第２点灯回路、及び検知部２等を制御する。また、制御部１０は、バッテリー１３の直流電力から各種の回路の動作電力を生成する電源回路を制御する。
【００４８】
制御部１０は、特定事象である火災に関する情報を受けて、火災が発生したか否かを判定するように構成されている。具体的には、制御部１０は、検知部２から受信する検知信号（情報）を監視し、検知信号に含まれている事象レベルが閾値を超えたか否かを判定する。事象レベルは、上述の通り、一例として変換後の煙濃度である。ただし、事象レベルは、光量でもよい。
【００４９】
制御部１０は、自身のメモリ内に閾値を記憶している。制御部１０は、例えば、所定の時間間隔で、周期的に煙濃度が閾値を超えたか否かを判定し、一度でも煙濃度が閾値を超えれば、火災が発生したと決定してもよい。所定の時間間隔は、例えば５秒間隔である。あるいは、制御部１０は、煙濃度が連続して閾値を超えた回数をカウントし、その回数が規定回数に到達したときに、火災が発生したと決定してもよい。もちろん、制御部１０は、検知部２から火災が発生したという情報を含む検知信号を受信すれば、直接的に火災が発生したと決定してもよい。
【００５０】
制御部１０は、煙濃度に基づいて火災が発生したと判定すると、第１出力部１１から警報音の出力を開始させる。具体的には、制御部１０は、時間の経過に伴って周波数が直線的に変化するスイープ音に対応したＰＷＭ信号を生成し、音響回路に出力する。上記ＰＷＭ信号は、音響回路にて音声信号に変換されて、スイープ音（警報音）が第１出力部１１から出力される。また、制御部１０は、自身のメモリ内に記憶されているメッセージデータに基づいて、音声メッセージに対応したＰＷＭ信号を生成し、音響回路に出力する。上記ＰＷＭ信号は、音響回路にて音声信号に変換されて、音声メッセージ（警報音）が第１出力部１１から出力される。
【００５１】
また制御部１０は、火災が発生したと判定すると、第２出力部１２を点灯させるための制御信号を第１点灯回路へ、作動灯１５を点滅させるための制御信号を第２点灯回路へ、それぞれ送信する。第１点灯回路は、制御部１０から制御信号を受信すると、第２出力部１２を一定の明るさで点灯させる。第２点灯回路は、制御部１０から制御信号を受信すると、作動灯１５に作動点滅を開始させる。
【００５２】
制御部１０は、警報中（警報音を発報中）も煙濃度の判定を行なっている。制御部１０は、もし警報中に煙濃度が、基準値以下になれば、ＰＷＭ信号の生成を止めて第１出力部１１による警報音の出力を停止し、また停止信号を第１点灯回路及び第２点灯回路にそれぞれ送信して、第２出力部１２及び作動灯１５からの光出力も停止する。つまり、制御部１０は、火災（煙）が無くなったと判断すると、自動的に警報音の出力、照明光の出力、及び作動灯１５の点滅を停止する。
【００５３】
また制御部１０は、警報中に、操作部３への押し操作により筐体４内の押し釦スイッチがオンされると、警報音の出力を停止する。もし住人１００が、音響装置１の警報が誤報であると判断すれば、操作部３を押すことで、警報音の発報を停止することができる。警報音の発報の停止は、引き紐の引っ張りでも可能である。
【００５４】
一方、制御部１０は、非警報中に、操作部３への押し操作により筐体４内の押し釦スイッチがオンされると、動作点検用の所定の動作試験を実行する。動作試験は、第１出力部１１の音出力試験、第２出力部１２の光出力試験、作動灯１５の点滅試験等を含む。動作試験は、引き紐の引き操作でも可能である。
【００５５】
ここで、例えば、深夜の時間帯に住宅で火災が発生した場合、住宅の寝室で就寝中の住人１００は、警報音を聞いた後、暗闇に近い状態でベッドから起きて、ベッドから廊下に繋がるドアまでの経路や方向を、瞬間的に把握しにくい可能性がある。また住人１００は、例えば、暗闇の中手探りで壁スイッチまで行き、寝室の照明を点けようとする可能性があり、壁スイッチをオンするまでの行動が、避難の遅れに繋がり得る。また、住人１００が、例えば聴覚障害者であれば、警報音（音）だけでは、火災の発生に気づかない可能性もある。これに対して、警報装置１は、警報音だけでなく、第２出力部１２の照明光を出力するため、住人１００は、ベッドから廊下に繋がるドアまでの経路（避難経路）を、瞬間的に把握することができ、寝室の照明を点けようとする時間が省かれる可能性が高くなる。また、住人１００が聴覚障害者であっても、第２出力部１２の照明光により、火災の発生に気づく可能性が高くなる。要するに、警報装置１は、警報音の出力だけでなく照明光の出力も行うため、避難時間の短縮を図ることができる。
【００５６】
（２．８）音響孔及び窓孔
以下、音響孔Ｈ１及び窓孔Ｈ２について、図２Ａ及び図２Ｂを参照しながら詳しく説明する。
【００５７】
音響孔Ｈ１及び窓孔Ｈ２は、上述の通り、所定の溝幅を有した円環状のスリット９における、内面９０の第１領域９１及び第２領域９２に、それぞれ配置されている。本実施形態のスリット９は、一例として、前壁部４Ｂの径方向に沿って切った断面が矩形状に凹んでいて、第１領域９１及び第２領域９２は、内面９０のうち底面９００（図２Ｂ参照）の一部の領域である。したがって、前壁部４Ｂの前方から見たときに、音響孔Ｈ１及び窓孔Ｈ２が見える位置にある。
【００５８】
ただし、第１領域９１及び第２領域９２の少なくともいずれか一方は、内面９０のうち領域Ｒ１０の中心Ｐ１の側の第１内側面９０１（図２Ｂ参照）の一部の領域でもよいし、周縁Ｅ１の側の第２内側面９０２（図２Ｂ参照）の一部の領域でもよい。また、第１領域９１及び第２領域９２の少なくともいずれか一方は、底面９００と第１内側面９０１（又は第２内側面９０２）との両方にわたる領域、又は底面９００と第１内側面９０１と第２内側面９０２との全てにわたる領域でもよい。またスリット９の断面は、矩形状に凹んでいることに限定されず、例えばＶ字形状に凹んでいてもよい。
【００５９】
音響孔Ｈ１及び窓孔Ｈ２の各々は、上述の通り、スリット９の底面９００に設けられており、これらの孔の幅寸法は、スリット９の幅寸法と同じである。特に、音響孔Ｈ１及び窓孔Ｈ２の各々も、スリット９の底面９００の形状に合わせて、領域Ｒ１０の中心Ｐ１を円の中心とする円弧状に湾曲している。音響孔Ｈ１及び窓孔Ｈ２は、互いに同じ形状及び寸法の開口領域を有している。ここでは、一例として、音響孔Ｈ１及び窓孔Ｈ２の各々の周方向における長さは、前壁部４Ｂの前方から見たときに、操作部３の径寸法に略等しい。ただし、音響孔Ｈ１及び窓孔Ｈ２の各々の周方向における長さは、例えば、スリット９の周方向における長さの約三分の一、又は四分の一等でもよい。
【００６０】
音響孔Ｈ１は、図２Ａに示すように、前壁部４Ｂの前方から見たときに、音響孔Ｈ１と中心Ｐ１と操作部３とが概ね一列に並ぶように設けられている（図２Ａの仮想線Ａ１参照）。一方、窓孔Ｈ２は、前壁部４Ｂの前方から見たときに、仮想線Ａ１に対して垂直で、かつ中心Ｐ１を通る仮想線Ａ２上に設けられている。なお、図示例では、窓孔Ｈ２は、中心Ｐ１より後ろ側にあるが、中心Ｐ１より手前側にあってもよい。また、図示例の音響孔Ｈ１、窓孔Ｈ２、中心Ｐ１、及び操作部３の相対的な位置関係も、一例である。例えば、音響孔Ｈ１の位置と窓孔Ｈ２の位置とが互いに入れ替わってもよい。また、窓孔Ｈ２も、  仮想線Ａ１上で操作部３の右横に設けられていてもよい。
【００６１】
このように本実施形態では、警報音の出力だけでなく照明光の出力も行い、また音響孔Ｈ１と窓孔Ｈ２とがスリット９の内面９０に設けられているため、これらの孔が目立ち難い構造となっている。つまり、音響装置１が例えば住宅の天井等の構造体Ｃ１に設置されたときに、構造体Ｃ１に対して音響孔Ｈ１と窓孔Ｈ２とが強調された印象を与え難くすることができる。したがって、音響装置１の外観上の見栄えが損なわれることを抑制しつつ、避難時間の短縮を図ることができる。
【００６２】
また、照明光が放射される窓孔Ｈ２がスリット９内にあることで、住人１００に与える眩しさ（グレア）を抑制できる。なお、音響装置１は、天井面以外にも例えば壁面に設置される場合もある。この場合、音響孔Ｈ１と窓孔Ｈ２とがスリット９の内面９０に設けられていることで、埃等の異物がこれらの孔から筐体４内に入り込む可能性を抑制できる。
【００６３】
また、スリット９が、筐体４の外周に沿った形状となっているため、筐体４と一体感のあるスリット９を提供でき、音響孔Ｈ１及び窓孔Ｈ２が、より目立ち難い構造となる。更にスリット９に囲まれた領域Ｒ１０の中心Ｐ１が、前壁部４Ｂの前方から見たときに、筐体４の外周の中心と一致しているため、筐体４と更に一体感のあるスリット９を提供できる。
【００６４】
また操作部３が、前壁部４Ｂの前方から見たときに、スリット９に囲まれた領域Ｒ１０内に配置されているため、筐体４及び操作部３と一体感のあるスリット９を提供でき、音響孔Ｈ１及び窓孔Ｈ２がより更に目立ち難い構造となる。
【００６５】
また、スリット９が環状であることから、筐体４と更に一体感のあるスリット９を提供できる。特に、筐体４の外周が円形状で、スリット９が筐体４の外周と同心円となる円環状であることから、更に一体感のあるスリット９を提供できる。
【００６６】
仮にスリット９が前壁部４Ｂに設けられていなければ、前壁部４Ｂの前面４０に対して、音響用の孔と光窓用の孔とが可能な限り目立たない位置関係及び寸法関係を考慮する必要があり、設計自由度が制限される可能性がある。しかし、本実施形態のようにスリット９が設けられていることで、スリット９の内面９０であれば、第１領域９１及び第２領域９２に対する位置的な制限、及び周方向の長さの制限を受け難く、音響孔Ｈ１及び窓孔Ｈ２の設計自由度を高めることができる。
【００６７】
ところで、導光部材８の露出部８０は、上述の通り、回路基板Ｂ１の側から窓孔Ｈ２に挿入されている。また、露出部８０は、図２Ｂに示すように、前壁部４Ｂの前方から見たときに窓孔Ｈ２の開口領域と略同形で円弧状に湾曲していて、かつ、窓孔Ｈ２の開口領域より僅かに小さい寸法を有している。露出部８０の表面（下面）は、スリット９の底面９００と略面一である。したがって、第２出力部１２から出射された光は、窓孔Ｈ２に挿入された導光部材８の露出部８０を介して効率良く導出され得る。
【００６８】
（２．９）筐体の外側の構造
以下、筐体４の外側の構造について、図３を参照しながら詳しく説明する。
【００６９】
本実施形態の前壁部４Ｂの前面４０は、その中心Ｐ２から周縁Ｅ１に向かうほど、基部４Ａに近づくように傾斜している。具体的には、前面４０は、筐体４を側方から見て、中心Ｐ２を頂点とした緩やかな曲面形状となっている。なお、ここで言う前面４０の「中心Ｐ２」は、スリット９に囲まれた領域Ｒ１０の中心Ｐ１と一致する。
【００７０】
前壁部４Ｂが、このような前面４０を有していることで、筐体４全体を見たときに、周縁Ｅ１近傍における、筐体４の上下方向の寸法が薄く見え、全体として薄型の筐体４を提供できる。このような薄型の筐体４を有していることで、構造体Ｃ１に対して音響装置１が目立ち難くなる。
【００７１】
また、本実施形態の側壁部４Ｃの開口部４１は、その開口縁に、火災煙の流入をガイドするテーパ状の面Ｔ１を有している。上記開口縁は、基部４Ａの側の第１縁４１１と、前壁部４Ｂの側の第２縁４１２と、を含む。テーパ状の面Ｔ１は、第１縁４１１及び第２縁４１２のうち、少なくとも第２縁４１２にある。図示例では、一例として、テーパ状の面Ｔ１は、第１縁４１１及び第２縁４１２の両方にある。下側のテーパ状の面Ｔ１は、基部４Ａに近づくほど筐体４内の検知空間（ラビリンス）に近づくように傾斜している傾斜面である。上側のテーパ状の面Ｔ１は、基部４Ａから離れるほど筐体４の検知空間（ラビリンス）に近づくように傾斜している傾斜面である。なお、下側のテーパ状の面Ｔ１の方が、上側のテーパ状の面Ｔ１より、面積が大きく、上下方向の長さも大きい。
【００７２】
側壁部４Ｃが、このようなテーパ状の面Ｔ１を有していることで、火災煙がより筐体４内の検知空間に流入され易くなり、火災の検知性能を向上することができる。また、第１縁４１１及び第２縁４１２の両方にあるテーパ状の面Ｔ１により、側壁部４Ｃがくびれた形状に見え、音響装置１の外観上の見栄えもよくなる。
【００７３】
特に、側壁部４Ｃにおける下側のテーパ状の面Ｔ１の下端から周縁Ｅ１までの部位Ｄ１が、当該テーパ状の面Ｔ１の存在により、薄く見えるようになる。したがって、火災煙の検知性能を向上しつつ、前壁部４Ｂの周縁Ｅ１から第２縁４１２にわたって薄型の外観となり、外観上の見栄えもよくなる。
【００７４】
（３）変形例
以下に、いくつかの変形例について列記する。以下では上述した実施形態を「基本例」と呼ぶ。以下に説明する変形例の各々は、上述した基本例や他の変形例と適宜組み合わせて適用可能である。
【００７５】
基本例のスリット９は、前壁部４Ｂの前方から見たときに、円環状である。しかし、スリット９は、円環状以外に、多角形の環状でもよい。例えば、正面から見たときの筐体４の外周形状が正六角形状や正八角形状であれば、その外周形状に合わせてスリット９の外観も、正六角形の環状、又は正八角形の環状であってもよい。
【００７６】
基本例のスリット９は、筐体４の外周形状に合わせた形状である。しかし、スリット９の形状を、筐体４の外周形状に合わせることは必須ではない。例えば、外周形状が円形の筐体４に対して、スリット９は、正八角形の環状であってもよい。
【００７７】
基本例では、音響孔Ｈ１及び窓孔Ｈ２の各々の数は、１つであるが、２つ以上であってもよい。例えば、２つの音響孔Ｈ１が、スリット９の周方向に沿って並んでいてもよい。例えば、２つの窓孔Ｈ２が、中心Ｐ１を間に挟むように、スリット９の左右両端に、それぞれ設けられてもよい。また、音響孔Ｈ１の数と窓孔Ｈ２の数は互いに異なってもよい。
【００７８】
基本例のスリット９は、１つの閉じた環状である。しかし、スリット９は、閉じた環状でなくてもよい。例えば、スリット９は、部分的に開放された形状であってもよく、前壁部４Ｂの前方から見たときに、例えばＣ字形状でもよい。
【００７９】
また、図７に示す変形例の音響装置１Ａのように、スリット９は、複数の小スリット９Ｘ（図７の例では２つ）から構成されてもよい。この場合、２つの小スリット９Ｘは、前壁部４Ｂの前方から見たときに、筐体４の外周に沿って並んでいる。この図７の変形例においても、音響孔Ｈ１及び窓孔Ｈ２が目立ち難い構造となる。なお、ここでは、音響孔Ｈ１及び窓孔Ｈ２の両方が、一方のＣ字状の小スリット９Ｘに設けられているが、これらの孔の一方が、他方の小スリット９Ｘに設けられてもよい。
【００８０】
あるいは、スリット９とは別に、１又は複数のダミースリットが設けられてもよい。ダミースリットは、例えば、スリット９と同心円の円環状であり、かつスリット９より小径（又は大径）でもよい。この場合、ダミースリットは、スリット９の内側に配置される。このようにダミースリットを設けることで、（メインの）スリット９に、音響孔Ｈ１及び窓孔Ｈ２が設けられているという印象を与え難くなる。
【００８１】
基本例の音響装置１は、単独型の火災警報器であった。すなわち、基本例の音響装置１は、他の火災警報器と通信する通信機能を有していない。しかし、音響装置１は、他の火災警報器と通信する通信機能を有した、連動型の火災警報器であってもよい。通信は、無線で行われてもよいし、有線で行われてもよい。
【００８２】
また音響装置１は、火災警報器以外の機器と通信可能に構成されてもよい。火災警報器以外の機器とは、例えば、住人１００が携帯する携帯端末（例えばスマートフォン）、及び住宅内に設置されているセキュリティ監視機器等である。
【００８３】
（４）利点
以上説明したように、第１の態様に係る音響装置（１、１Ａ）は、構造体（Ｃ１）に設置される。音響装置（１、１Ａ）は、制御部（１０）と、第１出力部（１１）と、第２出力部（１２）と、筐体（４）と、を備える。制御部（１０）は、特定事象に関する情報を受けて特定事象が発生したか否かを判定する。第１出力部（１１）は、制御部（１０）にて特定事象が発生したと判定したときに、特定事象の発生を報知するように音を出力する。第２出力部（１２）は、上記情報に応じて周囲の領域（Ｒ１）を照らす照明光を出力する。筐体（４）は、制御部（１０）、第１出力部（１１）及び第２出力部（１２）を収容する。筐体（４）は、構造体（Ｃ１）に固定される基部（４Ａ）と、基部（４Ａ）の前側に位置する前壁部（４Ｂ）と、有する。前壁部（４Ｂ）は、その前面（４０）において、基部（４Ａ）に近づく方向に凹んだスリット（９）を有する。スリット（９）は、その内面（９０）の第１領域（９１）に、上記音を筐体（４）の外部に導出する音響孔（Ｈ１）と、内面（９０）の第２領域（９２）に、上記照明光を筐体（４）の外部に導出する窓孔（Ｈ２）と、を有する。第１の態様によれば、音（警報音）の出力だけでなく照明光の出力も行い、また音響孔（Ｈ１）と窓孔（Ｈ２）とがスリット（９）の内面（９０）に設けられているため、これらの孔が目立ち難い構造となっている。したがって、外観上の見栄えが損なわれることを抑制しつつ、避難時間の短縮を図ることができる。
【００８４】
第２の態様に係る音響装置（１、１Ａ）に関して、第１の態様において、スリット（９）は、前壁部（４Ｂ）の前方から見たときに、筐体（４）の外周に沿った形状となっていることが好ましい。第２の態様によれば、筐体（４）と一体感のあるスリット（９）を提供でき、音響孔（Ｈ１）及び窓孔（Ｈ２）が、より目立ち難い構造となる。
【００８５】
第３の態様に係る音響装置（１）に関して、第２の態様において、スリット（９）は、前壁部（４Ｂ）の前方から見たときに、上記外周の周方向におけるスリット（９）の一端と他端とが互いに繋がった環状の形状となっていることが好ましい。第３の態様によれば、筐体（４）と更に一体感のあるスリット（９）を提供できる。また、スリット（９）内における音響孔（Ｈ１）及び窓孔（Ｈ２）の設計自由度を高めることができる。
【００８６】
第４の態様に係る音響装置（１Ａ）は、第２の態様において、スリット（９）は、複数の小スリット（９Ｘ）から構成されることが好ましい。複数の小スリット（９Ｘ）は、前壁部（４Ｂ）の前方から見たときに、上記外周に沿って並んでいることが好ましい。第４の態様によれば、音響孔（Ｈ１）及び窓孔（Ｈ２）が、より目立ち難い構造となる。
【００８７】
第５の態様に係る音響装置（１、１Ａ）は、第２〜第４の態様のいずれか１つにおいて、スリット（９）に囲まれた領域（Ｒ１０）の中心（Ｐ１）は、前壁部（４Ｂ）の前方から見たときに、上記外周の中心と一致していることが好ましい。第５の態様によれば、筐体（４）と更に一体感のあるスリット（９）を提供できる。
【００８８】
第６の態様に係る音響装置（１、１Ａ）は、第２〜第５の態様のいずれか１つにおいて、外部からの操作入力を受け付ける操作部（３）を、更に備えることが好ましい。操作部（３）は、前壁部（４Ｂ）の前方から見たときに、前壁部（４Ｂ）の前面（４０）において、スリット（９）に囲まれた領域（Ｒ１０）内に配置されていることが好ましい。第６の態様によれば、筐体（４）及び操作部（３）と一体感のあるスリット（９）を提供でき、音響孔（Ｈ１）及び窓孔（Ｈ２）が、より目立ち難い構造となる。
【００８９】
第７の態様に係る音響装置（１、１Ａ）に関して、第１〜第６の態様のいずれか１つにおいて、前壁部（４Ｂ）の前面（４０）は、その中心（Ｐ２）から周縁（Ｅ１）に向かうほど、基部（４Ａ）に近づくように傾斜していることが好ましい。第７の態様によれば、全体として薄型の筐体（４）を提供でき、構造体（Ｃ１）に対して音響装置（１、１Ａ）が目立ち難くなる。
【００９０】
第８の態様に係る音響装置（１、１Ａ）に関して、第１〜第７の態様のいずれか１つにおいて、特定事象とは、火災であることが好ましい。音響装置（１、１Ａ）は、筐体（４）内に収容され、かつ火災を検知する検知部（２）を、更に備えることが好ましい。制御部（１０）は、検知部（２）からの検知結果を上記情報として受けて火災が発生したか否かを判定することが好ましい。第８の態様によれば、外観上の見栄えが損なわれることを抑制しつつ、避難時間の短縮を図ることができる、検知部（２）付きの音響装置（１、１Ａ）を提供できる。
【００９１】
第９の態様に係る音響装置（１、１Ａ）に関して、第８の態様において、検知部（２）は、煙検知部であることが好ましい。筐体（４）は、前壁部（４Ｂ）の周縁（Ｅ１）から基部（４Ａ）に向かって突出する側壁部（４Ｃ）を更に有することが好ましい。側壁部（４Ｃ）は、火災煙を筐体（４）内における煙検知部（検知部２）の検知空間に流入させる開口部（４１）を、有することが好ましい。開口部（４１）は、その開口縁に、火災煙の流入をガイドするテーパ状の面（Ｔ１）を有することが好ましい。第９の態様によれば、テーパ状の面（Ｔ１）により、火災煙の検知性能を向上することができる。
【００９２】
第１０の態様に係る音響装置（１、１Ａ）に関して、第９の態様において、上記開口縁は、基部（４Ａ）の側の第１縁（４１１）と、前壁部（４Ｂ）の側の第２縁（４１２）と、を含むことが好ましい。テーパ状の面（Ｔ１）は、第１縁（４１１）及び第２縁（４１２）のうち、少なくとも第２縁（４１２）にあることが好ましい。第１０の態様によれば、テーパ状の面（Ｔ１）により、火災煙の検知性能を向上しつつ、前壁部（４Ｂ）の周縁（Ｅ１）から第２縁（４１２）にわたって薄型の外観となり、外観上の見栄えもよくすることができる。
【符号の説明】
【００９３】
１、１Ａ  音響装置
１０  制御部
１１  第１出力部
１２  第２出力部
２  検知部
３  操作部
４  筐体
４Ａ  基部
４Ｂ  前壁部
４Ｃ  側壁部
４０  前面
４１  開口部
４１１  第１縁
４１２  第２縁
９  スリット
９０  内面
９１  第１領域
９２  第２領域
９Ｘ  小スリット
Ｃ１  構造体
Ｅ１  前壁部の周縁
Ｈ１  音響孔
Ｈ２  窓孔
Ｐ１  中心
Ｐ２  中心
Ｒ１  周囲の領域
Ｒ１０  領域
Ｔ１  テーパ状の面
【図１】
2019175395.tif 000003
【図２】
2019175395.tif 000004
【図３】
2019175395.tif 000005
【図４】
2019175395.tif 000006
【図５】
2019175395.tif 000007
【図６】
2019175395.tif 000008
【図７】
2019175395.tif 000009